(57)【特許請求の範囲】
【請求項１】
エレベーターの昇降路の上端側に仮設されたエンドレスウィンチと、上記昇降路に立設された上記エレベーターのつり合おもり用案内レールと、上記エンドレスウィンチの牽引索の負荷側に吊持されて、上記つり合おもり用案内レールから水平投影面において離れた経路を昇降する作業床と、上記エンドレスウィンチの牽引索の反負荷側が連結されて上記つり合おもり用案内レールに昇降自在に係合された牽引索保持体とを備えたエレベーターの据付作業用昇降装置。
【請求項２】
牽引索保持体を、水平投影面において側面から引退して形成された凹所を有するものとし、水平投影面において上記凹所に配置されたエレベーターの本設用の主索を備えたことを特徴とする請求項１記載のエレベーターの据付作業用昇降装置。
【請求項３】
牽引索を、１：１ローピングよりも大きい綱掛け比の綱掛け構成によって作業床及び牽引索保持体を吊持したものとしたことを特徴とする請求項１記載のエレベーターの据付作業用昇降装置。
【請求項４】
牽引索を、作業床を吊持した綱掛け構成の綱掛け比よりも、大きい綱掛け比の綱掛け構成によって牽引索保持体を吊持したものとしたことを特徴とする請求項１記載のエレベーターの据付作業用昇降装置。
【請求項５】
牽引索保持体に設けられて互いに水平方向に離れて吊設された牽引索の端部がそれぞれ連結されて、上記牽引索の張力差を均衡する張力均衡機構を備えたことを特徴とする請求項１記載のエレベーターの据付作業用昇降装置。
【請求項６】
牽引索保持体に設けられて張力均衡機構が所定位置を超えて変位することによって動作する過変位検出器を備えたことを特徴とする請求項５記載のエレベーターの据付作業用昇降装置。
【請求項７】
過変位検出器に対応してそれぞれ設けられた表示灯と、上記過変位検出器の動作を介して、動作した上記過変位検出器に対応した上記表示灯を付勢する張力不均衡検出回路とを備えたことを特徴とする請求項６記載のエレベーターの据付作業用昇降装置。
【発明の詳細な説明】
【０００１】
【発明の属する技術分野】
この発明は、昇降路に仮設されて据付工事に使用する作業床を昇降運行するエレベーターの据付作業用昇降装置に関する。
【０００２】
【従来の技術】
図２２〜図２５は、従来のエレベーターの据付作業用昇降装置を示す図で、図２２はエレベーターの据付作業を概念的に示す縦断面図、図２３は図２２のエンドレスウィンチ箇所の斜視図、図２４は図２２のエレベーターの他の据付作業状況を示す図２２相当図、図２５も図２２のエレベーターの他の据付作業状況を示す図２２相当図である。
【０００３】
図において、１はエレベーターの昇降路、２は昇降路１の上に設けられた第二機械室、３は第二機械室２の上に設けられた第１機械室、４は昇降路１の下端に形成されたピット、５は第一機械室３に設置された巻上機、６は取付台７を介して第二機械室２に仮設されたエンドレスウィンチ、８はエレベーターの据付工事に作業員が乗り込んで作業する作業床で、エンドレスウィンチ６の一対の牽引索９の負荷側に吊持される。
【０００４】
１０は第二機械室２に枢着されてエンドレスウィンチ６に対向して昇降路１の壁面寄り対応位置に配置されたそらせ車、１１は昇降路１に配置されて牽引索９の反負荷側端部を保持した牽引索保持体、１２は制限スイッチ等の昇降路機器で、作業床８からの作業によって昇降路１の壁に装着される。１３は主索で、巻上機５に巻掛けられて昇降路１に吊下されて下端が昇降路１のピット４に搬入されたつり合おもり１４位置に配置される。
【０００５】
また、図２６〜図２８は、他の従来のエレベーターの据付作業用昇降装置を示す図で、図２６はエレベーターの据付作業を概念的に示す縦断面図、図２７は図２６のエレベーターの他の据付作業状況を示す図２６相当図、図２８は図２７のエンドレスウィンチ箇所の斜視図である。
【０００６】
図において、前述の図２２〜図２５と同符号は相当部分を示し、１５はエンドレスウィンチ６の一対の牽引索で、負荷側が作業床８に枢着された吊り車１６に巻掛けられ、端部が第二機械室２に設けられた綱止め梁１７に連結されて、作業床８が２：１ローピングの綱掛け構成によって吊持される。
【０００７】
従来のエレベーターの据付作業用昇降装置は上記のように構成され、第二機械室２にエンドレスウィンチ６が、昇降路１に作業床８がそれぞれ仮設される。次いで、牽引索９，１５を吊設して作業床８を吊持し、エンドレスウィンチ６を運転して作業床８を昇降させる。そして、作業床８に乗り込んだ作業員によって図２２、図２４、図２５又は図２６、図２７に示すように昇降路１内に配置される昇降路機器１２の据付作業が行われる。
【０００８】
なお、このような据付作業において作業床８が到達できない昇降路１の端部位置に配置される昇降路機器１２に対しては、作業用足場を別に仮設することになる。したがって、作業用足場を仮設する作業の手数を省くために、作業床８がより昇降路１端部近くに到達できるようにエレベーターの据付作業用昇降装置を構成する必要がある。
【０００９】
また、図２６〜図２８に示す他の従来のエレベーターの据付作業用昇降装置においては、作業床８が２：１ローピングの綱掛け構成によって吊持されているので、作業床８が昇降路１の下端寄りに下降した場合に、牽引索１５の負荷側において昇降路１の全高のほぼ二倍の長さの牽引索１５が吊設される。
【００１０】
したがって、作業床８が図２７に示すように昇降路１の上端寄りに上昇した場合に、牽引索１５の反負荷側の長さは昇降路１の全高のほぼ二倍の長さとなる。
そして、この長さの牽引索１５における昇降路１全高長さは昇降路１に吊下されるものの、他の昇降路１全高相当の長さは図２７に示すようにピット４に乱れた状態で堆積する。
【００１１】
【発明が解決しようとする課題】
上記のような従来のエレベーターの据付作業用昇降装置では、図２２に示す据付作業用昇降装置において、エンドレスウィンチ６の牽引索９の反負荷側は昇降路１に自由懸垂されている。このため、作業床８の昇降によって牽引索９の反負荷側が揺れて、昇降路機器１２に接触したり、絡みついたりして据付作業の妨げになるという問題点があった。
【００１２】
また、図２７に示す据付作業用昇降装置において、ピット４に乱れた状態で堆積した反負荷側の牽引索１５は相互に絡み合うことがあって、作業床８の昇降に支障を及ぼし据付作業が妨げられるという問題点があった。
【００１３】
この発明は、かかる問題点を解消するためになされたものであり、エンドレスウィンチの牽引索によって吊持された作業床を円滑に昇降運行できるエレベーターの据付作業用昇降装置を得ることを目的とする。
【００１４】
【課題を解決するための手段】
この発明に係るエレベーターの据付作業用昇降装置においては、エレベーターの昇降路の上端側に仮設されたエンドレスウィンチと、昇降路に立設されたエレベーターのつり合おもり用案内レールと、エンドレスウィンチの牽引索の負荷側に吊持されて、つり合おもり用案内レールから水平投影面において離れた経路を昇降する作業床と、エンドレスウィンチの牽引索の反負荷側が連結されてつり合おもり用案内レールに昇降自在に係合された牽引索保持体とが設けられる。
【００１５】
また、この発明に係るエレベーターの据付作業用昇降装置においては、水平投影面において側面から引退して形成された凹所を有する牽引索保持体が設けられ、また水平投影面において牽引索保持体の凹所に配置されたエレベーターの本設用の主索が設けられる。
【００１６】
また、この発明に係るエレベーターの据付作業用昇降装置においては、１：１ローピングよりも大きい綱掛け比の綱掛け構成によって作業床及び牽引索保持体を吊持した牽引索が設けられる。
【００１７】
また、この発明に係るエレベーターの据付作業用昇降装置においては、作業床を吊持した綱掛け構成の綱掛け比よりも、大きい綱掛け比の綱掛け構成によって牽引索保持体を吊持した牽引索が設けられる。
【００１８】
また、この発明に係るエレベーターの据付作業用昇降装置においては、牽引索保持体に設けられて互いに水平方向に離れて吊設された牽引索の端部がそれぞれ連結されて、牽引索の張力差を均衡する張力均衡機構が設けられる。
【００１９】
また、この発明に係るエレベーターの据付作業用昇降装置においては、牽引索保持体に設けられて張力均衡機構が所定位置を超えて変位することによって動作する過変位検出器が設けられる。
【００２０】
また、この発明に係るエレベーターの据付作業用昇降装置においては、過変位検出器に対応してそれぞれ設けられた表示灯と、過変位検出器の動作を介して、動作した過変位検出器に対応した表示灯を付勢する張力不均衡検出回路とが設けられる。
【００２１】
【発明の実施の形態】
実施の形態１．
図１〜図４は、この発明の実施の形態の一例を示す図で、図１はエレベーターの据付作業を概念的に示す縦断面図、図２は図１のエンドレスウィンチ箇所の斜視図、図３は図１における牽引索保持体箇所の拡大正面図、図４は図３の平面図である。
【００２２】
図において、１はエレベーターの昇降路、２は昇降路１の上に設けられた第二機械室、３は第二機械室２の上に設けられた第１機械室、４は昇降路１の下端に形成されたピット、５は第一機械室３に設置された巻上機、６は取付台７を介して第二機械室２に仮設されたエンドレスウィンチ、８はエレベーターの据付工事に作業員が乗り込んで作業する作業床で、エンドレスウィンチ６の一対の牽引索９の負荷側に吊持される。
【００２３】
１０は第二機械室２に枢着されてエンドレスウィンチ６に対向して昇降路１の壁面寄り対応位置に配置されたそらせ車、１１は昇降路１に配置されて牽引索９の反負荷側端部を保持した牽引索保持体、１８は昇降路１に立設された本設用のつり合おもり用案内レールである。
【００２４】
１９は案内具で、牽引索保持体１１の両側に設けられて対向したつり合おもり用案内レール１８に昇降自在に係合する。２０は牽引索保持体１１に設けられた張力均衡機構で、牽引索保持体１１に設けられて長手が水平に配置された軸２１、長手中心が軸２１に枢持されて両端にそれぞれ牽引索９の反負荷側が連結された腕体２２によって構成されている。
【００２５】
上記のように構成されたエレベーターの据付作業用昇降装置において、第二機械室２にエンドレスウィンチ６が、昇降路１に作業床８がそれぞれ仮設される。
また、昇降路１に本設用のつり合おもり用案内レール１８が立設され、案内具１９を介して牽引索保持体１１が係合される。次いで、牽引索９を吊設して負荷側によって作業床８を吊持し、牽引索９の反負荷側が牽引索保持体１１の張力均衡機構２０に連結される。
【００２６】
このような装置構成によって、エンドレスウィンチ６を運転して作業床８を昇降させる。そして、作業床８に乗り込んだ作業員によって前述の図２２〜図２５のエレベーターの据付作業用昇降装置の場合と同様な作業が行われて、前述の昇降路機器１２等の据付作業が行われる。この据付作業における作業床８の昇降時にエンドレスウィンチ６の牽引索９の反負荷側が、張力均衡機構２０によって張力が均衡した状態で牽引索保持体１１に連結され、また牽引索保持体１１は昇降移動がつり合おもり用案内レール１８によって案内される。
【００２７】
したがって、作業床８の昇降によって牽引索９の反負荷側が揺れ、昇降路機器１２に接触したり、絡みついたりして据付作業の妨げになる不具合を解消することができる。このため、エンドレスウィンチ６の牽引索９によって吊持されて昇降する作業床８を円滑に昇降運行でき据付作業能率を向上することができる。
【００２８】
実施の形態２．
図５及び図６は、この発明の他の実施の形態の一例を示す図で、図５はエンドレスウィンチ箇所の斜視図、図６は図５における牽引索保持体箇所の拡大平面図である。なお、図５及び図６の他は前述の図１〜図４と同様にエレベーターの据付作業用昇降装置が構成されている。
【００２９】
図において、図１〜図４と同符号は相当部分を示し、２３は前述の牽引索保持体１１と同様な牽引索保持体で、両側のつり合おもり用案内レール１８の相互間の中心位置に水平投影面において引退した凹所２４が設けられている。２５は巻上機５に巻掛けられて昇降路１に吊下されたエレベーターの本設用の主索で、据付作業工程の適時において図６に示すように牽引索保持体２３の凹所２４に配置される。
【００３０】
上記のように構成されたエレベーターの据付作業用昇降装置においても、エンドレスウィンチ６の牽引索９の反負荷側が、つり合おもり用案内レール１８に係合された牽引索保持体２３に保持される。したがって、詳細な説明を省略するが図５及び図６の実施の形態においても図１〜図４の実施の形態と同様な作用が得られる。
【００３１】
また、図５及び図６の実施の形態において、据付作業工程の適時に巻上機５に巻掛けられて昇降路１に吊下されたエレベーターの本設用の主索２５が、牽引索保持体２３に設けられた凹所２４に配置される。このため、吊下された主索２５に接することなく牽引索保持体２３が正常に昇降するので、作業床８を円滑に運行でき据付作業能率を向上することができる。
【００３２】
実施の形態３．
図７〜図１２も、この発明の他の実施の形態の一例を示す図で、図７はエレベーターの据付作業を概念的に示す縦断面図、図８は図７のエンドレスウィンチ箇所の斜視図、図９は図７における牽引索保持体箇所の拡大正面図、図１０は図９の平面図、図１１は図７における牽引索の吊設状態を概念的に示す立面図、図１２は図９の牽引索保持体に対応して設けられた電気回路図である。
【００３３】
図において、前述の図１〜図４、図５及び図６と同符号は相当部分を示し、２６は作業床８に枢着された吊り車、２７は第二機械室２に設けられた綱止め梁、２８は昇降路１の上端部に設けられた綱止め具、２９は張力均衡機構２０の腕体２２の両端部にそれぞれ枢着された滑車である。
【００３４】
１５はエンドレスウィンチ６の牽引索で、負荷側を構成する一端が綱止め梁２７に連結されて下降し作業床８の吊り車２６に巻掛けられて上昇し、エンドレスウィンチ６に係合されて反負荷側を構成して下降し張力均衡機構２０の滑車２９に巻掛けられて上昇して他端は綱止め具２８に連結されている。
【００３５】
３０は右側過変位検出器で、牽引索保持体２３に設けられて張力均衡機構２０の腕体２２の図９における右側の長手端部の下側に配置され、腕体２２の右側が所定位置を超えて下方へ回動変位したときに作動部が押圧されて動作する。３１は左側過変位検出器で、牽引索保持体２３に設けられて張力均衡機構２０の腕体２２の図９における左側の長手端部の下側に配置され、腕体２２の左側が所定位置を超えて下方へ回動変位したときに作動部が押圧されて動作する。
【００３６】
３２は右側表示灯で、牽引索保持体２３の間口方向の右側に設けられて右側過変位検出器３０に接続されている。３３は左側表示灯で、牽引索保持体２３の間口方向の左側に設けられて左側過変位検出器３１に接続されている。３４は右側過変位検出器３０等からなる電気回路図の電源で、電池によって構成されている。３５は右側過変位検出器３０、左側過変位検出器３１、右側表示灯３２、左側表示灯３３を主要機器とする張力不均衡検出回路である。
【００３７】
上記のように構成されたエレベーターの据付作業用昇降装置においても、エンドレスウィンチ６の牽引索１５の反負荷側が、つり合おもり用案内レール１８に係合された牽引索保持体２３に保持される。したがって、詳細な説明を省略するが図７〜図１１の実施の形態においても図１〜図４の実施の形態、図５及び図６の実施の形態と同様な作用が得られる。
【００３８】
また、図７〜図１１の実施の形態において牽引索１５が２：１ローピングの綱掛け構成によって吊設されるので、小さい牽引容量のエンドレスウィンチ６を使用することができる。このため、エンドレスウィンチ６の昇降路１への搬入等の費用を節減することができる。また、牽引索１５の反負荷側が昇降路１上方と張力均衡機構２０の滑車２９の間に吊持されるので、ピット４に乱れた状態で堆積することがない。
【００３９】
このため、牽引索１５の反負荷側がピット４に乱れた状態で堆積して相互に絡み合って、作業床８の昇降に支障を及ぼし据付作業が妨げられることがなく、作業床８を円滑に運行でき据付作業能率を向上することができる。
また、張力不均衡検出回路３５が設けられて一対の牽引索１５の一方が他方よりも長くなった場合に張力均衡機構２０の腕体２２が傾く。
【００４０】
このような場合に、腕体２２が傾いて下降した側の過変位検出器が押圧されて動作し、張力不均衡検出回路３５を介して腕体２２が傾いて下降した側の牽引索１５に対応した表示灯が点灯する。これによって、牽引索１５の一方の異常伸びが表示されるので、作業員は迅速に異常発生に対応することができる。
【００４１】
なお、牽引索１５に異常伸びが発生した状態では牽引索保持体２３が傾いて過大な昇降抵抗が発生し、牽引索保持体２３が昇降不能になる恐れがある。また、一対の牽引索１５をそれぞれ牽引するエンドレスウィンチ６を設置した構成の場合に、両方のエンドレスウィンチ６を付勢して作業床８を昇降運行したときに、運行中において一方の牽引索１５が他方よりも長くなることがある。
【００４２】
このときに、長くなった牽引索１５に対応した表示灯が点灯する。これによって、異常発生が表示されるので作業員が迅速に対応することができる。
なお、右側表示灯３２と左側表示灯３３の発光色を相互に異なるものとする。
このような構成によって、牽引索保持体２３位置から離れた場所であっても、異常伸び等の異常が発生した牽引索を容易に判別することができる。
【００４３】
そして、例えば点灯した表示灯に対応した牽引索側のエンドレスウィンチ６を、張力均衡機構２０の腕体２２が水平姿勢に復帰して表示灯が消灯する方向に寸動操作することによって異常時対策することができる。したがって、据付作業に対する異常時対策、エンドレスウィンチ６の異常時制御等を容易化することができ、据付作業能率を向上することができる。
【００４４】
実施の形態４．
図１３〜図１５も、この発明の他の実施の形態の一例を示す図で、図１３はエレベーターの据付作業を概念的に示す縦断面図、図１４は図１３のエンドレスウィンチ箇所の斜視図、図１５は図１３における牽引索の吊設状態を概念的に示す立面図である。
【００４５】
図において、前述の図７〜図１２と同符号は相当部分を示し、１２は制限スイッチ等の昇降路機器で、作業床８からの作業によって昇降路１の壁に装着される。１４は昇降路１のピット４に搬入されたつり合おもり、３６はエンドレスウィンチ６の牽引索で、負荷側を構成する一端が作業床８に連結されて上昇し、エンドレスウィンチ６に係合されて反負荷側を構成して下降し、張力均衡機構２０の滑車２９に巻掛けられて上昇して他端は綱止め具２８に連結されている。
【００４６】
上記のように構成されたエレベーターの据付作業用昇降装置においても、エンドレスウィンチ６の牽引索３６の反負荷側が、つり合おもり用案内レール１８に係合された牽引索保持体２３に保持される。したがって、詳細な説明を省略するが図１３〜図１５の実施の形態においても図１〜図４の実施の形態、図５及び図６の実施の形態と同様な作用が得られる。
【００４７】
また、図１３〜図１５の実施の形態において牽引索３６の負荷側が作業床８に直接連結される綱掛け構成、すなわち１：１ローピングによって吊設され、また反負荷側は２：１ローピングの綱掛け構成によって吊設される。これによって、作業床８を図１３に示すように所定位置よりも距離ｈ上昇した場合に、牽引索保持体２３の下降は距離はｈ／２となる。
【００４８】
したがって、作業床８の所定上昇位置よりも上方の昇降路機器１２を取付けるために、作業床８を過上昇しても牽引索保持体２３がつり合おもり１４に衝突することはなく、作業床８の上昇可能範囲を広げることができる。このため、作業床８からの作業によって昇降路１上端寄りの昇降路機器１２を容易に取付けることができ、据付作業能率を向上することができる。
【００４９】
実施の形態５．
図１６〜図２０も、この発明の他の実施の形態の一例を示す図で、図１６はエレベーターの据付作業を概念的に示す縦断面図、図１７は図１６のエンドレスウィンチ箇所の斜視図、図１８は図１６における牽引索保持体箇所の拡大正面図、図１９は図１８の平面図、図２０は図１６における牽引索の吊設状態を概念的に示す立面図である。
【００５０】
図において、前述の図７〜図１２と同符号は相当部分を示し、３７は昇降路１の壁に枢着された昇降路滑車、３８はエンドレスウィンチ６の牽引索で、負荷側を構成する一端が綱止め梁２７に連結されて下降し作業床８の吊り車２６に巻掛けられて上昇し、エンドレスウィンチ６に係合されて反負荷側を構成して下降し張力均衡機構２０の滑車２９に巻掛けられて上昇し、昇降路滑車３７に巻掛けられて下降して他端は牽引索保持体２３に連結されている。
【００５１】
上記のように構成されたエレベーターの据付作業用昇降装置においても、エンドレスウィンチ６の牽引索３８の反負荷側が、つり合おもり用案内レール１８に係合された牽引索保持体２３に保持される。また、牽引索保持体２３に設けられた張力均衡機構２０及び張力不均衡検出回路３５が装備される。したがって、詳細な説明を省略するが図１６〜図２０の実施の形態においても図７〜図１２の実施の形態と同様な作用が得られる。
【００５２】
また、図１６〜図２０の実施の形態において牽引索３８が負荷側において２：１ローピングの綱掛け構成によって吊設される。また、反負荷側は３：１ローピングの綱掛け構成によって吊設される。これによって、作業床８を所定位置よりも例えば距離Ｈ上昇した場合に、牽引索保持体２３の下降は距離はＨ／１．５となる。
【００５３】
したがって、作業床８の所定上昇位置よりも上方の昇降路機器１２を取付けるために、作業床８を過上昇しても牽引索保持体２３がつり合おもり１４に衝突することはなく、作業床８の上昇可能範囲を広げることができる。このため、作業床８からの作業によって昇降路１上端寄りの昇降路機器１２を容易に取付けることができ、据付作業能率を向上することができる。
【００５４】
また、図１６〜図２０の実施の形態による構成において、牽引索３８の負荷側の合計重量がエンドレスウィンチ６の牽引容量の一倍ないし二倍未満の場合に適用でき、負荷側の合計重量に対してエンドレスウィンチ６の牽引容量が不足するときであっても、支障なく作業床８を牽引して昇降することができる。
【００５５】
実施の形態６．
図２１も、この発明の他の実施の形態の一例を示す図で、エレベーターの据付作業を概念的に示す縦断面図である。なお、図２１の他は前述の図１３〜図１５の実施の形態と同様にエレベーターの据付作業用昇降装置が構成されている。図において、図１３〜図１５と同符号は相当部分を示し、３９は昇降路１の上端部に仮設された取付梁で、昇降路１の最上階の乗場から足場を仮設し、この足場での作業によって設置される。
【００５６】
上記のように構成されたエレベーターの据付作業用昇降装置は、前述の図１３〜図１５の実施の形態を第二機械室２が設置されない構造の昇降路１に適用したものである。すなわち、エンドレスウィンチ６の牽引索３６の反負荷側が、つり合おもり用案内レール１８に係合された牽引索保持体２３に保持され、また牽引索３６が図１３〜図１５の実施の形態と同様に吊設される。したがって、詳細な説明を省略するが第二機械室２が設置されない構造の図２１の実施の形態においても図１３〜図１５の実施の形態と同様な作用が得られる。
【００５７】
【発明の効果】
この発明は以上説明したように、エレベーターの昇降路の上端側に仮設されたエンドレスウィンチと、昇降路に立設されたエレベーターのつり合おもり用案内レールと、エンドレスウィンチの牽引索の負荷側に吊持されて、つり合おもり用案内レールから水平投影面において離れた経路を昇降する作業床と、エンドレスウィンチの牽引索の反負荷側が連結されてつり合おもり用案内レールに昇降自在に係合された牽引索保持体とを設けたものである。
【００５８】
これによって、エンドレスウィンチを運転して作業床を昇降運行して、作業床に乗り込んだ作業員によってエレベーターの据付作業が行われる。そして、エンドレスウィンチの牽引索の反負荷側が牽引索保持体に連結されて、この据付作業における作業床の昇降時に牽引索保持体がつり合おもり用案内レールによって案内されて昇降移動する。したがって、作業床の昇降によって牽引索の反負荷側が揺れて、昇降路機器に接触したり、絡みついたりして据付作業の妨げになる不具合を解消することができ、エンドレスウィンチの牽引索によって吊持されて昇降する作業床を円滑に運行でき据付作業能率を向上する効果がある。
【００５９】
また、この発明は以上説明したように、水平投影面において側面から引退して形成された凹所を有する牽引索保持体を設け、また水平投影面において凹所に配置されたエレベーターの本設用の主索を設けたものである。
【００６０】
これによって、据付作業工程の適時に巻上機に巻掛けられて昇降路に吊下されたエレベーターの本設用の主索が、牽引索保持体に設けられた凹所に配置される。このため、吊下された主索に接することなく牽引索保持体が正常に昇降し、作業床を円滑に運行でき据付作業能率を向上する効果がある。
【００６１】
また、この発明は以上説明したように、１：１ローピングよりも大きい綱掛け比の綱掛け構成によって作業床及び牽引索保持体を吊持した牽引索を設けたものである。
【００６２】
これによって、作業床等が１：１ローピングよりも大きい綱掛け比の綱掛け構成によって吊持され、小さい牽引容量のエンドレスウィンチを使用することができ、エンドレスウィンチの昇降路への搬入等の費用を節減する効果がある。
【００６３】
また、この発明は以上説明したように、作業床を吊持した綱掛け構成の綱掛け比よりも、大きい綱掛け比の綱掛け構成によって牽引索保持体を吊持した牽引索を設けたものである。
【００６４】
これによって、作業床の綱掛け構成の綱掛け比よりも、大きい綱掛け比の綱掛け構成によって牽引索保持体が吊持されて、作業床の昇降距離よりも牽引索保持体昇降距離が短くなる。したがって、作業床の所定上昇位置よりも上方の昇降路機器を取付けるために、作業床を過上昇しても牽引索保持体がつり合おもりに衝突することはない。このため、作業床の上昇可能範囲を広げることができ、作業床からの作業によって昇降路上端寄りの昇降路機器を容易に取付けることができて据付作業能率を向上する効果がある。
【００６５】
また、この発明は以上説明したように、牽引索保持体に設けられて互いに水平方向に離れて吊設された牽引索の端部がそれぞれ連結されて、牽引索の張力差を均衡する張力均衡機構を設けたものである。
【００６６】
このように、牽引索保持体に張力均衡機構を介してエンドレスウィンチの牽引索が連結される。このため、牽引索相互の張力が均衡されて据付作業時における作業床の昇降時に、牽引索の緩みによって昇降路機器に接触したり、牽引索相互が絡みついたりして据付作業の妨げになる不具合を解消することができ、作業床を円滑に運行できて据付作業能率を向上する効果がある。
【００６７】
また、この発明は以上説明したように、牽引索保持体に設けられて張力均衡機構が所定位置を超えて変位することによって動作する過変位検出器を設けたものである。
【００６８】
これによって、牽引索の異常伸びによって過変位検出器が動作し、この動作を介して作業員が異常発生に迅速に対応できる。このため、牽引索の異常伸びによる不具合の発生を未然に防止でき、作業床を円滑に運行できて据付作業能率を向上する効果がある。
【００６９】
また、この発明は以上説明したように、過変位検出器に対応してそれぞれ設けられた表示灯と、過変位検出器の動作を介して、動作した過変位検出器に対応した表示灯を付勢する張力不均衡検出回路とを設けたものである。
【００７０】
これによって、異常伸びが発生した牽引索に対応して配置されて、動作した過変位検出器が表示灯の点灯によって表示される。このため、作業員が異常発生の牽引索に対して迅速に対策することができ、二本のうち一本の牽引索の異常伸びのために牽引索保持体が傾いて過大な昇降抵抗が発生する等の不具合の発生を未然に防止できる。これにより、作業床を円滑に運行できて据付作業能率を向上する効果がある。
【図面の簡単な説明】
【図１】  この発明の実施の形態１を示す図で、エレベーターの据付作業を概念的に示す縦断面図。
【図２】  図１のエンドレスウィンチ箇所の斜視図。
【図３】  図１における牽引索保持体箇所の拡大正面図。
【図４】  図３の平面図。
【図５】  この発明の実施の形態２を示す図で、エンドレスウィンチ箇所の斜視図。
【図６】  図５における牽引索保持体箇所の拡大平面図。
【図７】  この発明の実施の形態３を示す図で、エレベーターの据付作業を概念的に示す縦断面図。
【図８】  図７のエンドレスウィンチ箇所の斜視図。
【図９】  図７における牽引索保持体箇所の拡大正面図。
【図１０】  図９の平面図。
【図１１】  図７における牽引索の吊設状態を概念的に示す立面図。
【図１２】  図９の牽引索保持体に対応して設けられた電気回路図。
【図１３】  この発明の実施の形態４を示す図で、エレベーターの据付作業を概念的に示す縦断面図。
【図１４】  図１３のエンドレスウィンチ箇所の斜視図。
【図１５】  図１３における牽引索の吊設状態を概念的に示す立面図。
【図１６】  この発明の実施の形態５を示す図で、エレベーターの据付作業を概念的に示す縦断面図。
【図１７】  図１６のエンドレスウィンチ箇所の斜視図。
【図１８】  図１６における牽引索保持体箇所の拡大正面図。
【図１９】  図１８の平面図。
【図２０】  図１６における牽引索の吊設状態を概念的に示す立面図。
【図２１】  この発明の実施の形態６を示す図で、エレベーターの据付作業を概念的に示す縦断面図。
【図２２】  従来のエレベーターの据付作業用昇降装置を示す図で、エレベーターの据付作業を概念的に示す縦断面図。
【図２３】  図２２のエンドレスウィンチ箇所の斜視図。
【図２４】  図２２のエレベーターの他の据付作業状況を示す図で、図２２相当図。
【図２５】  図２２のエレベーターの他の据付作業状況を示す図で、図２２相当図。
【図２６】  他の従来のエレベーターの据付作業用昇降装置を示す図で、エレベーターの据付作業を概念的に示す縦断面図。
【図２７】  図２６のエレベーターの他の据付作業状況を示す図で、図２６相当図。
【図２８】  図２７のエンドレスウィンチ箇所の斜視図。
【符号の説明】
１  昇降路、６  エンドレスウィンチ、８  作業床、９  牽引索、１１  牽引索保持体、１５  牽引索、１８  つり合おもり用案内レール、２０  張力均衡機構、２４  凹所、２５  主索、３０  右側過変位検出器、３１  左側過変位検出器、３２  右側表示灯、３３  左側表示灯、３５  張力不均衡検出回路、３６牽引索、３８  牽引索。
【図１】
0004562252.tif 000002
【図２】
0004562252.tif 000003
【図３】
0004562252.tif 000004
【図４】
0004562252.tif 000005
【図５】
0004562252.tif 000006
【図６】
0004562252.tif 000007
【図７】
0004562252.tif 000008
【図８】
0004562252.tif 000009
【図９】
0004562252.tif 000010
【図１０】
0004562252.tif 000011
【図１１】
0004562252.tif 000012
【図１２】
0004562252.tif 000013
【図１３】
0004562252.tif 000014
【図１４】
0004562252.tif 000015
【図１５】
0004562252.tif 000016
【図１６】
0004562252.tif 000017
【図１７】
0004562252.tif 000018
【図１８】
0004562252.tif 000019
【図１９】
0004562252.tif 000020
【図２０】
0004562252.tif 000021
【図２１】
0004562252.tif 000022
【図２２】
0004562252.tif 000023
【図２３】
0004562252.tif 000024
【図２４】
0004562252.tif 000025
【図２５】
0004562252.tif 000026
【図２６】
0004562252.tif 000027
【図２７】
0004562252.tif 000028
【図２８】
0004562252.tif 000029